(57)【要約】【課題】遊技盤の遊技機枠への取付・交換容易化を図る。【解決手段】上下の固定機構１５が開口部２から離れた位置に停止して置かれた状態において、作業者が遊技盤２７を持って遊技盤２７の裏面を遊技機枠１の方に向けた格好で、遊技盤２７を遊技機枠１の前側から内側ガイドレール３と外側ガイドレール４および上下の固定機構１５で囲まれる内側領域に挿入し、遊技盤２７が遊技機枠１の前側から盤収納部６に嵌め込まれ、遊技盤２７の裏面周りと盤受止面５とが互いに接触した状態において、作業者が遊技機枠１の前側で上下の固定機構１５のカム４６が互いに開口部２の方向に移動操作されることで、遊技盤２７が遊技機枠１に固定されるので、遊技盤２７の遊技機枠１への嵌合作業と固定作業とが同じ側で行える。【選択図】        図１
2004174153.tif 000002
【特許請求の範囲】
【請求項１】
遊技機枠にガイドレールとガイドレールで囲まれる内側に前方開放状の略円形な窪みである盤収納部とを形成し、遊技盤を遊技機枠の盤収納部に嵌め込まれる形状に形成し、この遊技盤を遊技機枠に交換可能に取り付けるパチンコ機において、盤収納部が一方の半円形以下の円弧部と他方の半円形以下の可動支持体とに分割され、可動支持体に盤収納部への遊技盤の嵌合方向と同じ側で操作可能な固定機構を設けたことを特徴とするパチンコ機。
【請求項２】
円弧部には遊技盤の縁部を取り込む溝が形成されたことを特徴とする請求項１記載のパチンコ機。
【請求項３】
可動支持体には遊技盤の縁部を取り込む凹部が形成されたことを特徴とする請求項１記載のパチンコ機。
【請求項４】
固定機構には可動支持体を移動・固定するカムが設けられたことを特徴とする請求項１記載のパチンコ機。
【請求項５】
固定機構には可動支持体を所定の方向に誘導するガイドが設けられたことを特徴とする請求項１記載のパチンコ機。
【請求項６】
固定機構には可動支持体を滑らせるスライダが設けられたことを特徴とする請求項１記載のパチンコ機。
【発明の詳細な説明】
【０００１】
【発明の属する技術分野】
本発明は遊技機枠に遊技盤を交換可能に取り付けるパチンコ機に関する。
【０００２】
【従来の技術】
従来のパチンコ機には次のようなものが提案されている。このパチンコ機は遊技機枠にガイドレール、ガイドレールで囲まれる内側に前方開放状の略円形な窪みである盤収納部を形成し、遊技盤を遊技機枠の盤収納部に嵌め込まれる形状に形成し、その遊技盤の前面である意匠盤面に入賞部品、表示灯部品、障害釘や遊技釘と呼ばれる多数本の釘を備える。そして、遊技盤を遊技機枠の盤収納部に前側から嵌め込んだ後、遊技機枠の後側から遊技盤を盤収納部の背壁にボルトまたはボルト・ナットで固定している（例えば、特許文献１；２参照）。
【０００３】
【特許文献１】
実公昭４０−３４０３８号公報（第１頁、右欄第８−２２行、第２図）
【特許文献１】
特開昭５２−６８５３８号公報（第２頁、左下欄第７−９行、第３図）
【０００４】
【発明が解決しようとする課題】
しかしながら、従来例は遊技盤を盤収納部に嵌め込んだ後、遊技機枠の裏側から遊技盤を固定する構造、つまり、遊技盤の遊技機枠への嵌合作業と固定作業とが異なる側である。このため、パチンコ機製造会社では遊技機枠と遊技盤との組み合わせでパチンコ機を販売する場合、遊技盤を遊技機枠の前側から盤収納部に嵌め込んだ後、遊技機枠の裏側から遊技盤を遊技機枠に固定する作業が面倒である。また、遊技盤の交換性を生かし、パチンコ店がパチンコ機製造会社から新機種の遊技盤を購入して旧機種と交換するのは、新装開店の場合で遊技盤の交換を一晩で行わなければならないことがほとんどであり、そのような短時間で遊技盤を交換する場合、上記従来例では、遊技機枠の裏側でボルトまたはボルト・ナットを取り外すとともに、遊技機枠の前側で旧機種の遊技盤を遊技機枠から取り外した後、新機種の遊技盤を遊技機枠の前側から盤収納部に嵌め込むとともに、遊技機枠の裏側から新機種の遊技盤を固定しなければならず、その交換作業が面倒である。このようなことから、にわかに採用しがたいものである。
【０００５】
そこで、本発明は、遊技盤の遊技機枠への嵌合作業と固定作業とを同じ側で行えることで、遊技盤の取付および交換を容易に行うことができるパチンコ機を提供するものである
【０００６】
【課題を解決するための手段】
本発明にあっては、遊技機枠にガイドレールとガイドレールで囲まれる内側に前方開放状の略円形な窪みである盤収納部とを形成し、遊技盤を遊技機枠の盤収納部に嵌め込まれる形状に形成し、この遊技盤を遊技機枠に交換可能に取り付けるパチンコ機において、盤収納部が一方の半円形以下の円弧部と他方の半円形以下の可動支持体とに分割され、可動支持体に盤収納部への遊技盤の嵌合方向と同じ側で操作可能な固定機構を設けたことによって、遊技盤の取付および交換を容易に行うことができる。また、本発明にあっては、円弧部には遊技盤の縁部を取り込む溝が形成されるか、または、可動支持体には遊技盤の縁部を取り込む凹部が形成されれば、遊技盤が盤収納部に嵌め込まれることで、遊技盤が前後方向にがたつきなく遊技機枠に固定される。また、本発明にあっては、固定機構には可動支持体を移動・固定するカムが設けられれば、可動支持体が遊技盤を適切に支持することができる。また、本発明にあっては、固定機構には可動支持体を所定の方向に誘導するガイドが設けられれば、可動支持体が移動で遊技盤を円弧部の方向に適切に押し動かすことができる。また、本発明にあっては、固定機構には可動支持体を滑らせるスライダが設けられれば、可動支持体を移動する操作が簡単である。
【０００７】
【発明の実施の形態】
図１−図６は一実施形態であって、図１は遊技機枠１と遊技盤２７とを分離したパチンコ機を示し、図２は図１をＡ−Ａ線で切断した断面を示し、図３は図１をＢ−Ｂ線で切断した断面を示し、図４は固定機構１５を示し、図５は固定機構１５の断面を示し、図６は固定機構１５で遊技盤２７を遊技機枠１に固定した断面を示す。
【０００８】
図１を参照し、パチンコ機について説明する。パチンコ機の遊技機枠１は中央部に前後方向に貫通する略円形（真円形、真円形以外の長円形、楕円形、多角形、阿古屋貝のような異形円形などを含む）な開口部２を備え、開口部２の周囲に内側ガイドレール３と外側ガイドレール４を固定的に備える。開口部２の縁は内側ガイドレール３および外側ガイドレール４よりも内側に突出する。開口部２における周縁の前面は盤受止面５である。盤受止面５と内側ガイドレール３と外側ガイドレール４と可動支持体３７とが盤収納部６を形成する。盤収納部６は一方の半円形以下の固定的な円弧部６Ａと他方の半円形以下の可動的な円弧部６Ｂとに分割され、可動的な円弧部６Ｂが固定的な円弧部６Ａと合体することで、前方開放状の略円形（真円形、真円形以外の長円形、楕円形、多角形、阿古屋貝のような異形円形などを含む）な窪みを形成する。内側ガイドレール３と外側ガイドレール４との間の隙間は発射通路７である。発射通路７における上部の出口周りにおいて、開口部２は内側ガイドレール３に沿う弧縁と外側ガイドレール４に沿う弧縁とを連接する縦段差部８を備える。内側ガイドレール３の下端周りにおいて、開口部２は盤受止面５が下側に切除されたアウト逃部９を備える。開口部２は直線部１０を備える。直線部１０は内側ガイドレール３の下端よりも右側に行くに従って徐々に内側に回り込むように延長する弧縁と外側ガイドレール４の上端よりも右側に行くに従って徐々に内側に回り込むように延長する弧縁とを連接する上下方向に直線的に延びる。
【０００９】
開口部２は横段差部１１を備える。横段差部１１は外側ガイドレール４の上端よりも右側に行くに従って徐々に内側に回り込むように延長する弧縁と直線部１０とを連接する一方、内側ガイドレール３の下端よりも右側に行くに従って徐々に内側に回り込むように延長する弧縁と直線部１０とを連接する。よって、開口部２は正面視阿古屋貝のような形状である。内側ガイドレール３の下端と外側ガイドレール４の上端とは開口部２の上下死点１２；１３（開口部２の中心を通って上下方向に延びる直線と開口部２の縁との交点）よりも左側に位置する。内側ガイドレール３の下部はその下端から左側に行く従って徐々に上方に行く弧を形成する。外側ガイドレール４の上部はその上端から左側に行く従って徐々に下方に行く弧を形成する。遊技機枠１は内側ガイドレール３の下端と発射通路７の側との間に通路隔壁体１４を備える。通路隔壁体１４が内側ガイドレール３の外側に沿って設けられることで、通路隔壁体１４の左側縁と外側ガイドレール４の下部との間が発射通路７における下部の入口である。
【００１０】
遊技機枠１は開口部２周りの右側上下に円弧部６Ｂを有する固定機構１５を備える。遊技機枠１は右側部に施錠装置１６、施錠装置１６を取り囲む前飾り１７、前飾り１７よりも内側上下にロックレバー１８、ロックレバー１８周りにレバー逃孔１９を備える。遊技機枠１は左側上下部にヒンジ２０を備える。遊技機枠１は開口部２よりも下部に発射機構２１、発射レール２２、受皿２３、ハンドルグリップと呼ばれるような発射操作機構２４を備える。受皿２３および発射操作機構２４は１つのまとまりになったユニットを構成し、ユニットは遊技機枠１に図外のヒンジで前側に片開き可能に取り付けられる。ユニットのヒンジはヒンジ２０と同じ側に設けられる。図１の遊技機枠１は図外の遊技機設置設備に釘で固定される額縁状の外枠と呼ばれる固定枠にヒンジ２０で前側に片開きされる前枠と呼ばれる可動枠である。この遊技機枠１の前側には図外の飾り枠がヒンジで前側に片開き可能に取り付けられる。飾り枠のヒンジはヒンジ２０と同じ側に設けられる。
【００１１】
そして、飾り枠が閉じられることで、ロックレバー１８が飾り枠の裏面のロック受部に嵌め合わされ、飾り枠の閉じ状態が保持される。その状態において、施錠装置１６に図外のキープレート（鍵）を前側から差し込んで例えば左側に９０度回転操作すると、施錠装置１６がロックレバー１８を可動し、ロックレバー１８とロック受部との嵌め合いが解除され、飾り枠を開くことが可能となる。上記施錠装置１６に差し込まれたキープレートが右側に９０度回転操作されると、施錠装置１６が遊技機枠１と固定枠とのロック機構をアンロックし、遊技機枠１を開くことが可能となる。受皿２３に球が入れられ、遊技機枠１の裏側または遊技盤２７の裏側に設けられた図外の制御装置が電力供給で起動した状態において、遊技者が発射操作機構２４を操作すると、その操作量に応じた発射出力で制御装置が発射機構２１を駆動し、発射機構２１が受皿２３から供給された球を１個ずつ発射レール２２から発射通路７に向けて発射する。
【００１２】
遊技盤２７は開口部２よりもひとまわり大きな相似形であって、下部にアウト球取入口２８が下端面から内側に窪むように形成され、縦段差部８に対応する縦段差部２９、直線部１０に対応する直線部３０、横段差部１１に対応する横段差部３１を備える。遊技盤２７は前面である意匠盤面に図外の入賞部品、表示灯部品、障害釘や遊技釘と呼ばれる多数本の釘、風車、ランプ風車、可動遊技演出部品などの必要な部品を備え、それらの部品のうちで電動部品を制御する制御装置が遊技盤２７の裏面に設けられた形態である。そして、制御装置が開口部２に挿入される格好で、遊技盤２７が遊技機枠１の前側から開口部２に近づけられることで、遊技盤２７の裏面周りが盤受止面５とそれ以外の開口部２周りとで受け止められ、遊技盤２７が盤収納部６に格納される。
【００１３】
図２を参照し、内側ガイドレール３と外側ガイドレール４との周りにおける盤収納部６の内部構造について説明する。盤収納部６は内側ガイドレール３周りと盤受止面５との間で発射通路７の台座を構成する枠基部３３の内部に窪む溝３４を備え、溝３４の前部は庇３５である。この溝３４は図１に示す上死点１２の左側傍位置と下死点１３の左側近傍位置との範囲に形成される。
【００１４】
図３を参照し、固定機構１５周りにおける盤収納部６の内部構造について説明する。盤収納部６は固定機構１５の設置される台座を構成する枠基部３３を備え、枠基部３３の前面（図３では上側の面）にスライダ３６を介在させて横移動可能に取り付けられた可動支持体３７の内側面に形成された凹部３８を備える。凹部３８は枠基部３３の前面とで溝を形成し、凹部３８の前部は庇３９である。
【００１５】
図４を参照し、固定機構１５の構造について説明する。固定機構１５の可動支持体３７は円弧部６Ｂ、ガイドレール４１、カム収納部４２、複数本のガイドピン４３を備える。ガイドレール４１は可動支持体３７における円弧部６Ｂ周りの内側弧縁に固定される。カム収納部４２は可動支持体３７の前面から内部に窪む形状あって、ガイドレール４１の側と反対側（ガイドレール４１よりも離れる側）とで相対峙する一対の内側面にカム受部４４；４５を備える。カム受部４４；４５はカム収納部４２の内側面から可動支持体３７の内部に窪む形態である。カム収納部４２に格納されたカム４６のカム軸４７はカム収納部４２の底部を貫通して枠基部３３に支持される。
【００１６】
ガイドピン４３はカム収納部４２を挟む左右位置で可動支持体３７の底部に固定される。ガイドピン４３は枠基部３３に形成された複数のガイド孔４８に個別に挿入される。ガイド孔４８は互いに平行に相対峙した長孔である。そして、カム４６の先端部がガイドレール４１のガイドレール４１よりも離れた側のカム受部４５に嵌め込まれた状態において、作業者がカム４６を例えば矢印方向に回転操作すると、カム４６がカム軸４７を回転中心として回転し、カム４６の先端部がカム受部４５から離れた後にガイドレール４１の側におけるカム収納部４２の内側面に接触して可動支持体３７を押し動かすのに伴い、ガイドピン４３がガイド孔４８で案内されつつ、可動支持体３７が開口部２の中心部に向かって直線的に移動し、カム４６の先端部がガイドレール４１の側におけるカム受部４４に嵌め込まれることで、可動支持体３７が停止する。
【００１７】
図５を参照し、固定機構１５の内部構造について説明する。ガイドピン４３は可動支持体３７の底部からガイド孔４８に挿入されるように突出する。スライダ３６は可動支持体３７の滑りを良くするとともに枠基部３３を保護する物品であって、枠基部３３に固定される。可動支持体３７のおけるカム収納部４２の底部を形成する部分には可動支持体３７が移動する場合にカム軸４７を逃げるための逃孔４９が形成される。５０はカム軸４７の止輪である。
【００１８】
本実施形態の遊技盤２７を遊技機枠１に取り付ける場合について説明する。図４に示すようにカム４６の先端部がカム受部４５に嵌め込まれ、図１に示すように上下の固定機構１５が開口部２から離れた位置に停止して置かれた状態において、作業者が遊技盤２７を持って遊技盤２７の裏面を遊技機枠１の方に向けた格好で、遊技盤２７を遊技機枠１の前側から内側ガイドレール３と外側ガイドレール４および上下の固定機構１５で囲まれる内側領域に挿入し、遊技盤２７の裏面周りを上記内側領域における盤受止面５に接触させる。その後、作業者が遊技機枠１の前側で上下の固定機構１５におけるカム４６を回転操作すると、カム４６の先端部がカム受部４５から離れて開口部２の方に向くのに伴いガイドレール４１の側におけるカム収納部４２の内側面に接触して上下の可動支持体３７を開口部２の中心方向に移動する。これによって、可動支持体３７が遊技盤２７の縁を自分の盤収納部６に取り込んだ後に遊技盤２７を右側から左側に押し動かすのに伴い、遊技盤２７が盤受止面５の上を滑りつつ、遊技盤２７の左側が外側ガイドレール４における上端近傍位置と内側ガイドレール３における下端近傍位置との範囲（略上下死点１２；１３間の左側範囲）の盤収納部６に取り込まれる。
【００１９】
この盤収納部６に取り込まれた遊技盤２７の左側端面が溝３４の底面（前後方向の面）に接触するのに伴い、遊技盤２７が内側ガイドレール３の側における盤収納部６と上下の固定機構１５における盤収納部６とで挟まれる格好になる。このように遊技盤２７が盤収納部６で挟まる格好になることで、遊技盤２７は前後方向にがたつかなくなる。この場合、遊技盤２７の縦段差部２９が遊技機枠１の縦段差部８の所に配置され、遊技盤２７のアウト球取入口２８が遊技機枠１のアウト逃部８と前後方向で重なり合う一方、カム４６の先端部は上記接触したガイドレール４１の側におけるカム収納部４２の内側面を図４のカム受部４４の近傍へと移動している。引き続き、作業者がカム４６を上記と同じ方向に回転操作すると、カム４６の先端部がカム受部４４に嵌め込まれた所で、作業者が上記カム４６の回転操作を止める。これによって、可動支持体３７の移動が停止し、遊技盤２７が遊技機枠１に固定的に取り付けられる。
【００２０】
要するに、本実施形態の構造によれば、遊技盤２７を遊技機枠１に取り付ける場合、遊技盤２７が遊技機枠１の前側から盤収納部６に嵌め込まれ、遊技盤２７の裏面周りと盤受止面５とが互いに接触した状態において、上下の固定機構１５が遊技機枠１の前側で互いに開口部２の方向に移動操作されることで、遊技盤２７が遊技機枠１に固定されるので、遊技盤２７の遊技機枠１への嵌合作業と固定作業とが同じ側で行える。これによって、遊技盤２７の遊技機枠１への取付作業および遊技盤２７の交換作業を容易に行うことができる。また、遊技盤２７が遊技機枠１に取り付けられた場合、遊技盤の前面周り（意匠盤面周り）が図２の庇３５や図３の庇３９で図６に示すように覆われるので、遊技盤２７が盤収納部６で適切に支持される。そして、縦段差部８の方が意匠盤面の覆う形態であるので、発射機構２１で発射された球が発射通路７を経由して縦段差部８から遊技盤２７の意匠盤面に飛び出す場合、当該球が縦段差部８から遊技盤２７の意匠盤面へと滑らかに飛び出すことができる。
【図面の簡単な説明】
【図１】一実施形態のパチンコ機を示す分解正面図。
【図２】同実施形態の図１のＡ−Ａ線断面図。
【図３】同実施形態の図１のＢ−Ｂ線断面図。
【図４】同実施形態の固定機構を示す正面図。
【図５】同実施形態の固定機構の内部構造を示す断面図。
【図６】同実施形態の固定機構の遊技盤固定形態を示す断面図。
【符号の説明】
１    遊技機枠
６    盤収納部
１５  固定機構
２７  遊技盤
３４  溝
３６  スライダ
３７  可動支持体
３８  凹部
【図１】
2004174153.tif 000003
【図２】
2004174153.tif 000004
【図３】
2004174153.tif 000005
【図４】
2004174153.tif 000006
【図５】
2004174153.tif 000007
【図６】
2004174153.tif 000008